(57)【要約】【課題】アクセスポイントとの通信品質が不安定な環境下でも、通話の安定性を確保する。【解決手段】アクセスポイントとの通信における通信品質を測定する通信品質測定部２と、通信可能なアクセスポイントを探索するためにスキャンを行うスキャン実行部３と、ハンドオーバを行うハンドオーバ実行部４と、通信品質測定部の測定結果に基づきスキャン実行部３と前記ハンドオーバ実行部４とを制御する制御部５と、を有し、制御部５は、接続中のアクセスポイントとの通信における通信品質としての現状通信品質が所定のスキャン開始閾値より低くなった場合、スキャン実行部３によるスキャンを開始させ、その後、現状通信品質が、スキャン開始閾値より高く設定されたスキャン停止閾値より高くなった場合、スキャン実行部３によるスキャンを停止させることとする。【選択図】図１
2008131510.tif 000002
【特許請求の範囲】
【請求項１】
アクセスポイントと無線通信を行う無線通信端末において、
アクセスポイントとの通信における通信品質を測定する通信品質測定部と、
通信可能なアクセスポイントを探索するためにスキャンを行うスキャン実行部と、
ハンドオーバを行うハンドオーバ実行部と、
前記通信品質測定部の測定結果に基づき前記スキャン実行部と前記ハンドオーバ実行部とを制御する制御部と、を有し、
前記制御部は、接続中のアクセスポイントとの通信における通信品質としての現状通信品質が所定のスキャン開始閾値より低くなった場合、前記スキャン実行部によるスキャンを開始させ、その後、現状通信品質が、前記スキャン開始閾値より高く設定されたスキャン停止閾値より高くなった場合、前記スキャン実行部によるスキャンを停止させる、
ことを特徴とする無線通信端末。
【請求項２】
前記制御部は、現状通信品質が、前記スキャン開始閾値より低く設定されたハンドオーバ開始閾値より低くなった場合、前記スキャン実行部によるスキャンを停止させると共に前記ハンドオーバ実行部によるハンドオーバを開始させ、その後、現状通信品質が、前記ハンドオーバ開始閾値より高く設定されたハンドオーバ停止閾値より高くなった場合、前記ハンドオーバ実行部によるハンドオーバを停止させると共に前記スキャン実行部によるスキャンを開始させることを特徴とする請求項１に記載の無線通信端末。
【請求項３】
前記制御部は、前記スキャンで接続可能なアクセスポイントが見つからないまま、現状通信品質が、前記スキャン開始閾値より低く設定されたハンドオーバ開始閾値より低くなった場合、前記スキャン実行部によるスキャンを継続させることを特徴とする請求項２に記載の無線通信端末。
【請求項４】
前記通信品質はアクセスポイントから受信する受信電力レベルであることを特徴とする請求項１〜３の何れか１項に記載の無線通信端末。
【請求項５】
アクセスポイントと無線通信を行う無線通信端末におけるスキャン動作制御方法において、
接続中のアクセスポイントとの通信における通信品質としての現状通信品質を測定する通信品質測定ステップと、
現状通信品質が所定のスキャン開始閾値より低くなった場合、スキャンを開始するスキャン開始ステップと、
その後、現状通信品質が、前記スキャン開始閾値より高く設定されたスキャン停止閾値より高くなった場合、前記スキャンを停止するスキャン停止ステップと、
を有することを特徴とするスキャン動作制御方法。
【発明の詳細な説明】
【技術分野】
【０００１】
本発明は、アクセスポイントと無線通信を行う無線通信端末及びスキャン動作制御方法に関する。
【背景技術】
【０００２】
従来、携帯電話等の無線通信端末は、基地局となる複数のアクセスポイント（ＡＰ：Access Point）から構成された無線ＬＡＮ等の通信網において、所定のアクセスポイントを介してインターネットに接続し、ＶｏＩＰ（Voice over IP）機能によって通話可能となっている。
【０００３】
無線通信端末がアクセスポイント間を移動する場合は、移動機はそれまで接続していたアクセスポイントから、より通信品質の高いアクセスポイントに切り替えるハンドオーバ（Hand Over）を行う。
【０００４】
無線通信端末は、このハンドオーバに先立ち、通信可能なアクセスポイントを探索するためのスキャン（Scan）を行う。
【０００５】
一方で、携帯可能な小型の無線通信端末では、バッテリサイズに制限があるため、可能な限り消費電力を低減する必要がある。
【０００６】
そのため、特許文献１では、新旧のネットワーク間におけるキャンプオン動作に関して、まず、接続している第１のネットワークとの通信品質が第１の閾値を下回ると第２のネットワークの通信品質を開始し始め、その後、第２の閾値を下回ると第２のネットワークにキャンプオンする旨が記載されている。
【特許文献１】特開２００４−１８０２９７号公報
【発明の開示】
【発明が解決しようとする課題】
【０００７】
しかし、特許文献１に記載のような、２つの閾値を用いる技術を無線ＬＡＮにおけるアクセスポイントのハンドオーバに適用できたとしても、無線通信端末が、接続中のアクセスポイントとの通信品質が閾値付近で行き来すると、不要なスキャンやハンドオーバが多発してしまう。その結果、不要な消費電力が増え、ＶｏＩＰによる通話中に瞬断や途切れが頻繁に発生するという問題がある。加えて、無線通信端末の移動は不規則であるため、閾値付近から急に圏外方面に移動すると、スキャンやハンドオーバが間に合わずに通話が切断されるといった問題もある。
【０００８】
本発明は、上記問題に鑑みてなされたものであり、その目的は、アクセスポイントとの通信品質が不安定な環境下でも、通話の安定性を確保することができる無線通信端末及びスキャン動作制御方法を提供することにある。
【課題を解決するための手段】
【０００９】
上記目的を達成するために、本発明に係る無線通信端末は、アクセスポイントと無線通信を行う無線通信端末において、アクセスポイントとの通信における通信品質を測定する通信品質測定部と、通信可能なアクセスポイントを探索するためにスキャンを行うスキャン実行部と、ハンドオーバを行うハンドオーバ実行部と、通信品質測定部の測定結果に基づきスキャン実行部とハンドオーバ実行部とを制御する制御部と、を有し、制御部は、接続中のアクセスポイントとの通信における通信品質としての現状通信品質が所定のスキャン開始閾値より低くなった場合、スキャン実行部によるスキャンを開始させ、その後、現状通信品質が、スキャン開始閾値より高く設定されたスキャン停止閾値より高くなった場合、スキャン実行部によるスキャンを停止させる、ことを特徴とする。
【００１０】
これにより、一旦、現状通信品質がスキャン開始閾値より低くなると、制御部はスキャン実行部に対して、現状通信品質がスキャン開始閾値に回復してもスキャンを停止させず、スキャン開始閾値より高く設定されたスキャン停止閾値に至るとスキャンを停止させる。従って、スキャン開始閾値付近ではスキャンが頻繁に開始されないため、スキャンの中断と再開の繰り返しによる不要な消費電力を低減することができる。ところで、現状通信品質がスキャン開始閾値より低くなるということは、無線通信端末が接続中のアクセスポイントの圏外付近に位置しているものと推察される。この場合に、無線通信端末が、一旦、接続中のアクセスポイントの圏内に戻り、その後、急に圏外に移動したとしても、制御部はスキャン実行部に対して、スキャン開始閾値に回復した時にスキャンを停止させないため、ハンドオーバを適切に行うことができる。
【００１１】
また、制御部は、現状通信品質が、スキャン開始閾値より低く設定されたハンドオーバ開始閾値より低くなった場合、スキャン実行部によるスキャンを停止させると共にハンドオーバ実行部によるハンドオーバを開始させ、その後、現状通信品質が、ハンドオーバ開始閾値より高く設定されたハンドオーバ停止閾値より高くなった場合、ハンドオーバ実行部によるハンドオーバを停止させると共にスキャン実行部によるスキャンを開始させることが望ましい。
【００１２】
これにより、一旦、現状通信品質がハンドオーバ開始閾値より低くなると、制御部はハンドオーバ実行部に対して、現状通信品質がハンドオーバ開始閾値に回復してもハンドオーバを停止させず、ハンドオーバ開始閾値より高く設定されたハンドオーバ停止閾値に至るとハンドオーバを停止させる。従って、現状通信品質がハンドオーバ開始閾値付近で行き来している状況でも、ハンドオーバの中断と再開の繰り返しによる通話の瞬断や途切れを効果的に低減することができ、不要な消費電力も低減することができる。
【００１３】
更に、制御部は、スキャンで接続可能なアクセスポイントが見つからないまま、現状通信品質が、スキャン開始閾値より低く設定されたハンドオーバ開始閾値より低くなった場合、スキャン実行部によるスキャンを継続させることが望ましい。これにより、確実に接続可能なアクセスポイントを見つけた上でハンドオーバを開始することができるため、無用なハンドオーバを防止することができる。
【００１４】
なお、通信品質はアクセスポイントから受信する受信電力レベルであることが望ましい。電力レベルが通信品質を示す最適な要素だからである。
【００１５】
上記目的を達成するために、本発明に係るスキャン動作制御方法は、アクセスポイントと無線通信を行う無線通信端末におけるスキャン動作制御方法において、接続中のアクセスポイントとの通信における通信品質としての現状通信品質を測定する通信品質測定ステップと、現状通信品質が所定のスキャン開始閾値より低くなった場合、スキャンを開始するスキャン開始ステップと、その後、現状通信品質が、スキャン開始閾値より高く設定されたスキャン停止閾値より高くなった場合、スキャンを停止するスキャン停止ステップと、を有することを特徴とする。
【００１６】
これにより、一旦、現状通信品質がスキャン開始閾値より低くなると、スキャン開始閾値に回復してもスキャンが停止されず、スキャン開始閾値より高く設定されたスキャン停止閾値に回復するとスキャンが停止されるため、現状通信品質がスキャン開始閾値付近で行き来している状況でも、スキャンが中断されず、通話の瞬断や途切れを効果的に低減することができる。また、スキャン開始閾値付近ではスキャンが頻繁に開始されないため、スキャンの中断と再開の繰り返しによる不要な消費電力を低減することができる。ところで、接続通信品質がスキャン開始閾値より低くなるということは、無線通信端末が接続中のアクセスポイントの圏外付近に位置しているものと推察される。この場合に、無線通信端末が、一旦、接続中のアクセスポイントの圏内に戻り、その後、急に圏外に移動して行ったとしても、スキャン開始閾値に回復した時にスキャンが停止されないため、ハンドオーバを適切に行うことができる。
【発明の効果】
【００１７】
本発明によれば、アクセスポイントとの通信品質が不安定な環境下でも、通話の安定性を確保することができる。
【発明を実施するための最良の形態】
【００１８】
本発明の好適な実施形態について図面を参照して詳細に説明する。
【００１９】
本発明の実施形態に係る無線通信端末の構成について、図１〜図３を用いて説明する。図１は無線通信端末１の機能構成を示したブロック図であり、図２は無線通信端末１のハードウェア構成を示したブロック図であり、図３は本発明に係るスキャン動作状況及びハンドオーバ動作状況を示した状態図である。
【００２０】
本実施形態に係る無線通信端末１は、複数のアクセスポイント２０ａ〜２０ｄによって構成された無線ＬＡＮ等の通信網において、所定のアクセスポイントとの間で無線リンクが接続されている。本実施形態に係る無線通信端末１は、無線通信によってアクセスポイントと無線リンクが接続される端末であれば如何なるものであっても良い。
【００２１】
無線通信端末１は、図１に示すように、アクセスポイント２０との通信における電力レベルを測定する通信品質測定部２と、通信可能なアクセスポイントを探索するためにスキャンを行うスキャン実行部３と、ハンドオーバを行うハンドオーバ実行部４と、アクセスポイントのプロファイルや閾値などの設定情報等が保持される記憶部６と、通信品質測定部２の測定結果に基づいてスキャン実行部３とハンドオーバ実行部４とを制御する制御部５とを含んで構成される。
【００２２】
また、無線通信端末１は、図２に示すように、物理的には、ＣＰＵ７と、ＲＯＭ８と、ＲＡＭ９と、操作部１０と、無線通信部１１と、ディスプレイ１２とを含んで構成される。ＲＯＭ８やＲＡＭ９等には、無線通信を行うアクセスポイントのプロファイルが格納される。ＲＯＭ８及びＲＡＭ９に格納されるプロファイルは、ＥＳＳＩＤ（Extended Service Set IDentifier）等の無線ＬＡＮのネットワークを識別するためのグループ名や、通信網と接続するための設定情報等が含まれる。
【００２３】
通信品質測定部２は、無線通信端末１の周辺に設置されているアクセスポイント（以下「周辺アクセスポイント」という。）から定期的に送られてくるビーコン信号を受信すると共に、このビーコン信号におけるチャネルごとの電力レベルを測定する。周辺アクセスポイントには、無線リンクが接続されているアクセスポイント（以下「接続アクセスポイント」という。）だけでなく、無線リンクが接続されていないアクセスポイントの双方が含まれる。所定の閾値より高い通信品質が測定されたアクセスポイント（以下「検出アクセスポイント」という。）は、スキャンの対象とするために、記憶部６にプロファイルとして登録される。なお、特許請求の範囲に記載した“通信品質”は“電力レベル”に限定されるものではなく、アクセスポイントと無線通信端末１との通信における通信品質を示すものであれば如何なる信号やレベルのものでも良く、周辺環境やノイズレベル等を考慮して通信品質を設定しても良い。
【００２４】
スキャン実行部３は、通信品質測定部２によってプロファイルが登録された複数の検出アクセスポイントに対して、それぞれ無線リンクが接続可能か否かを調査するスキャンを実行する。そして、接続可能なアクセスポイントの中から、最も電力レベルが高いアクセスポイントをハンドオーバの切り替え候補アクセスポイント（以下「ターゲットアクセスポイント」という。）として選定し、記憶部６に保持する。なお、ターゲットアクセスポイントの選定に際して電力レベルを判断要素として説明したが、その他の通信品質を示すものや、様々なアルゴリズムに従ってターゲットアクセスポイントを選定しても良い。また、スキャンはパッシブ型スキャンとアクティブ型スキャンの２種類があるが、何れかの方式のスキャンに限定されるものではない。
【００２５】
ハンドオーバ実行部４は、接続アクセスポイントを切り替えるハンドオーバを実行する。具体的には、接続アクセスポイントの無線リンクを切断し、スキャン実行部３で保持したターゲットアクセスポイントに無線リンクを接続し直すものである。なお、ハンドオーバでは、一旦接続アクセスポイントを切断してターゲットアクセスポイントに接続し直すため、この切り替えが遅かったり、途中でハンドオーバが中断したりすると、無線通信に瞬断や切断が生じてしまう。
【００２６】
無線通信端末１の記憶部６には、スキャン実行部３にスキャンを開始させるスキャン開始閾値、及びスキャンを停止させるスキャン停止閾値と、ハンドオーバ実行部４にハンドオーバを開始させるハンドオーバ開始閾値、及びハンドオーバを停止させるハンドオーバ停止閾値とが記憶されている。
【００２７】
制御部５は、通信品質測定部２で測定した接続アクセスポイントとの通信における電力レベル（以下「現状電力レベル」という。）と、スキャン開始閾値、スキャン停止閾値、ハンドオーバ開始閾値、ハンドオーバ停止閾値とを比較することにより、スキャン実行部３及びハンドオーバ実行部４をそれぞれ制御する。
【００２８】
スキャン開始閾値は、アクセスポイントとの通信における電力レベルを示す所定の値であって、制御部５がスキャン実行部３に対してスキャンを開始させるタイミングを示す値である。
【００２９】
スキャン停止閾値は、スキャン開始閾値よりも電力レベルが高く設定された値であって、一旦スキャンが実行された後に、制御部５がスキャン実行部３に対してスキャンを停止させるタイミングを示す値である。
【００３０】
ハンドオーバ開始閾値は、スキャン開始閾値よりも電力レベルが低く設定された値であって、スキャン実行部３によってスキャンが開始された後、制御部５がハンドオーバ実行部４に対してハンドオーバを開始させるタイミングを示す値である。
【００３１】
ハンドオーバ停止閾値は、ハンドオーバ開始閾値よりも電力レベルが高く設定された値であって、一旦ハンドオーバが実行された後に、制御部５がハンドオーバ実行部４に対してハンドオーバを停止させるタイミングを示す値である。
【００３２】
なお、通常は、ハンドオーバ停止閾値よりもスキャン開始閾値の方が低く設定されているが、無線通信端末１の使用環境や仕様によっては、ハンドオーバ停止閾値よりもスキャン開始閾値の方が高く設定されても良い。
【００３３】
次に、本実施形態に係る無線通信端末１の動作について図４を参照して説明する。
【００３４】
図４はスキャン動作及びハンドオーバ動作を示したフローチャートである。説明中、括弧内は図４におけるステップ番号を示している。
【００３５】
無線通信端末１は、通信品質測定部２において、接続アクセスポイントを含む周辺アクセスポイントから定期的に送られてくるビーコン信号を受信してその電力レベルを測定している（Ｓ１）。無線通信端末１は、所定の閾値より高い電力レベルでビーコン信号を検出できた検出アクセスポイントを、プロファイルとして記憶部６に登録している。なお、通信品質測定部２は、周辺アクセスポイントからの電力レベルを測定し、プロファイルを登録している。
【００３６】
通信品質測定部２で測定された現状電力レベルは、制御部５によってスキャン開始閾値、スキャン停止閾値、ハンドオーバ開始閾値、ハンドオーバ停止閾値とそれぞれ比較される。
【００３７】
次に、無線通信端末１のスキャン動作について説明する。
【００３８】
現状電力レベルがスキャン開始閾値より高い領域に、無線通信端末１が位置している場合から説明する。
【００３９】
無線通信端末１が移動すると、接続アクセスポイントから離れたり障害物に遮られたりすることにより、現状電力レベルがスキャン開始閾値より低くなる。
【００４０】
制御部５は、現状電力レベルがハンドオーバ開始閾値より高く（Ｓ３）、スキャン開始閾値より低くなったと判断すると（Ｓ５）、スキャン実行部３に対してスキャンを開始させる。
【００４１】
スキャン実行部３は、制御部５からのスキャン開始指令を受け、プロファイルが作成されている検出アクセスポイントに対してスキャンを開始する（Ｓ７）。スキャンは、複数の検出アクセスポイント全てに対してアクセスすることで、無線リンクが接続可能なアクセスポイントを探索する。接続可能なアクセスポイントを検出すると（Ｓ８）、その中から最も電力レベルが高いアクセスポイントをターゲットアクセスポイントとして選別し、記憶部６に保持する（Ｓ９）。なお、スキャン実行部３は、制御部５からスキャン停止指令を受けるまで定期的にスキャンを繰り返す。
【００４２】
その後もビーコン信号は定期的に送られてくるため、通信品質測定部２は現状電力レベルを測定する。ここでは、一旦スキャンが開始されているため（Ｓ４）、制御部５は、現状電力レベルをスキャン開始閾値より高く設定されているスキャン停止閾値と比較する（Ｓ６）。
【００４３】
制御部５は、現状電力レベルがスキャン停止閾値より低いと判断すると（Ｓ６）、スキャン実行部３に対してスキャンを継続させる（Ｓ７）。なお、通常はスキャンを定期的に実行させるように設定しているため、本ステップ中においては、スキャン開始タイミングがきたときにスキャンを開始させればよく、スキャン開始タイミングの合間に本ステップが到来しても、スキャンを新たに開始させる必要は無い。但し、無線通信端末１の使用環境や仕様によっては、本ステップが到来したときにスキャンを新たに開始させてもよい。
【００４４】
一方、制御部５は、現状電力レベルがスキャン停止閾値より高いと判断すると（Ｓ６）、スキャン実行部３に対してスキャンを停止させる（Ｓ１０）。
【００４５】
スキャン実行部３は、制御部５からのスキャン停止指令を受け、スキャンを停止する。
【００４６】
次に無線通信端末１のハンドオーバ動作について説明する。
【００４７】
現状電力レベルが、スキャン開始閾値より低くハンドオーバ開始閾値より高い領域に、無線通信端末１が位置している場合から説明する。
【００４８】
無線通信端末１が更に移動すると、接続アクセスポイントから更に離れたり障害物に遮られたりすることにより、現状電力レベルがハンドオーバ開始閾値より低くなる。
【００４９】
制御部５は、現状電力レベルがハンドオーバ開始閾値より低く（Ｓ３）なったと判断すると、前述のスキャン動作において、ターゲットアクセスポイントが記憶部６に保持されているかを調査する（Ｓ１２）。なお、本ステップでターゲットアクセスポイントが記憶部６に保持されていない状況とは、無線通信端末１が圏外方向に速く移動することにより、現状電力レベルがスキャン開始閾値より低くなった後、スキャン動作でターゲットアクセスポイントを記憶部６に保持するに至らない間にハンドオーバ開始閾値より低くなった場合などが考えられる。
【００５０】
制御部５は、ターゲットアクセスポイントが記憶部６に保持されていないと判断すると、スキャン実行部３に対してスキャンを開始又は継続させて、ターゲットアクセスポイントを保持させる。現状電力レベルがハンドオーバ開始閾値より低くなったときに、スキャンが実行中の場合はスキャンを継続させ、スキャンが実行されていない場合はスキャンを開始させる。
【００５１】
スキャン実行部３は、制御部５からのスキャン開始又は継続指令を受け、プロファイルが作成されている検出アクセスポイントに対してスキャンを開始又は継続する（Ｓ１３）。スキャンは、複数の検出アクセスポイント全てに対してアクセスすることで、無線リンクが接続可能なアクセスポイントを探索する。接続可能なアクセスポイントが検出できると（Ｓ１４）、その中から最も電力レベルが高いアクセスポイントをターゲットアクセスポイントとして選別し、記憶部６に保持する（Ｓ１５）。
【００５２】
このように、記憶部６にターゲットアクセスポイントが保持された状態になると、制御部５は、スキャン実行部３に対してスキャンを停止させると共に、ハンドオーバ実行部４に対してハンドオーバを開始させる。
【００５３】
スキャン実行部３は、制御部５からのスキャン停止指令を受け、スキャンを停止する（Ｓ１６）。
【００５４】
ハンドオーバ実行部４は、制御部５からのハンドオーバ開始指令を受け、ターゲットアクセスポイントに無線リンクを切り替えるハンドオーバを開始する（Ｓ１７）。ハンドオーバは、接続アクセスポイントとの無線リンクを切断し、ターゲットアクセスポイントとの間で新たに無線リンクを接続する。
【００５５】
その後もビーコン信号は定期的に送られてくるため、通信品質測定部２は現状電力レベルを測定する。ここでは、一旦ハンドオーバ開始されているため（Ｓ２）、制御部５は、現状電力レベルをハンドオーバ開始閾値より高く設定されているハンドオーバ停止閾値と比較する（Ｓ３）。
【００５６】
制御部５は、現状電力レベルがハンドオーバ停止閾値より低いと判断すると（Ｓ１１）、ハンドオーバ実行部４に対してハンドオーバを継続させる（Ｓ１７）。なお、無線通信端末１の使用環境や仕様によっては、本ステップが到来したときにハンドオーバを新たに開始させても良く、一旦ハンドオーバを行った後は、現状電力レベルがハンドオーバ停止閾値より高くなるまでハンドオーバを行わせないようにさせても良い。
【００５７】
一方、制御部５は、現状電力レベルがハンドオーバ停止閾値より高くなったと判断すると（Ｓ１１）、ハンドオーバ実行部４に対してハンドオーバを停止させる（Ｓ１８）。
【００５８】
次に、図５及び図６に示す具体例を用いて、本実施形態の作用効果を説明する。
【００５９】
図５は、現状電圧レベルがスキャン開始閾値付近を行き来するように、無線通信端末１が移動するときのスキャン動作を示した図である。この図５に示すように、無線通信端末１の移動により、現状電力レベルがａに至りスキャン開始閾値より低くなるとスキャンが開始され、現状電力レベルがｅに至りスキャン停止閾値より高くなるとスキャンが停止される。つまり、現状電力レベルがＡ−Ｂ１−Ｂ２−Ｂ３の区間内にある間はスキャンが継続される。
【００６０】
一方、従来の無線通信端末のスキャン動作では、無線通信端末の移動により、現状電力レベルがａに至りスキャン開始閾値より低くなるとスキャンが開始され、現状電力レベルがｂに至りスキャン開始閾値より高くなるとスキャンが停止され、現状電力レベルがｃに至り再度スキャン開始閾値より低くなると新たにスキャンが開始され、現状電力レベルがｄに至り再度スキャン開始閾値より高くなるとスキャンが再度停止される。つまり、現状電力レベルがＡ−Ｂ１−Ｂ２−Ｂ３の区間内にある間に、それぞれＡ、Ｂ１、Ｂ２、Ｂ３の区間でスキャンの開始と停止が繰り返される。
【００６１】
ところで、スキャンは所定の時間を要するため、短時間でスキャンが停止されると、ターゲットアクセスポイントを保持するに至らずスキャンが中断される場合がある。
【００６２】
このように、現状電圧レベルがスキャン開始閾値付近を行き来するような状況では、スキャンの開始と停止を繰り返すため、不要な消費電力を増大させてしまう。従って、無線通信端末の待機時間を十分に確保するためには、大容量、大容積の充電池が必要になり、無線通信端末の小型化が阻害されるという問題がある。
【００６３】
更に、現状電圧レベルがスキャン開始閾値付近を行き来するような状況では、一旦現状電力レベルがスキャン開始領域より高くなるＢ１の領域に戻り、その後、一点鎖線αに示すように急に圏外に移動する場合がある。従来の無線通信端末では、ターゲットアクセスポイントを保持する前段階でスキャンが中断される可能性が高くなる。従って、ハンドオーバが開始された後に再度スキャンを行う必要が生じるため、ハンドオーバに時間がかかり、通話の瞬断や途切れが生ずる虞がある。
【００６４】
しかし、本実施形態に係る無線通信端末１では、スキャン開始閾値よりも高く設定したスキャン停止閾値をスキャンを停止する閾値としているため、図５に示すＡ−Ｂ１−Ｂ２−Ｂ３の領域のように、現状電圧レベルがスキャン開始閾値付近を行き来する状況でも、スキャンの中断、再開が頻繁に繰り返されないため、不要な消費電力を低減することができる。
【００６５】
更に、現状電圧レベルがスキャン開始閾値付近を行き来するような状況でも、スキャン開始閾値付近ではスキャンが中断されることなく継続されるため、急に圏外に移動したとしても、ターゲットアクセスポイントを保持するための時間を十分に確保することができるため、ハンドオーバを短時間で適切に行うことができ、通話の瞬断や途切れを抑制することができる。
【００６６】
図６は、現状電圧レベルがハンドオーバ開始閾値付近を行き来するように、無線通信端末１が移動するときのハンドオーバ動作を示した図である。この図６に示すように、無線通信端末１の移動により、現状電力レベルがｆに至りハンドオーバ開始閾値より低くなるとハンドオーバが開始され、現状電力レベルがｊに至りハンドオーバ停止閾値より高くなるとハンドオーバが停止される。つまり、現状電力レベルがＣ−Ｄ１−Ｄ２−Ｄ３の区間内にある間はハンドオーバが継続される。
【００６７】
一方、従来の無線通信端末のハンドオーバ動作では、無線通信端末の移動により、現状電力レベルがｆに至りハンドオーバ開始閾値より低くなるとハンドオーバが開始され、現状電力レベルがｇに至りハンドオーバ開始閾値より高くなるとハンドオーバが停止され、現状電力レベルがｈに至り再度ハンドオーバ開始閾値より低くなると新たにハンドオーバが開始され、現状電力レベルがｉに至り再度ハンドオーバ開始閾値より高くなると再度ハンドオーバが停止される。つまり、現状電力レベルがＣ−Ｄ１−Ｄ２−Ｄ３の区間内にある間に、それぞれＣ、Ｄ１、Ｄ２、Ｄ３の区間でハンドオーバの開始と停止が繰り返される。
【００６８】
ところで、ハンドオーバは所定の時間を要するため、短時間でハンドオーバが停止されると、接続アクセスポイントとの無線リンクを切断した状態でハンドオーバが中断される場合がある。
【００６９】
このように、現状電圧レベルがハンドオーバ開始閾値付近を行き来するような状況では、ハンドオーバの開始と停止を繰り返すため、通話の瞬断や途切れが頻発する。特に、接続アクセスポイントとの無線リンクが切断された状態でハンドオーバが中断された場合には、通話の瞬断や途切れだけでなく通話が切断されるという問題がある。
【００７０】
更に、現状電圧レベルがハンドオーバ開始閾値付近を行き来するような状況では、一旦現状電力レベルがハンドオーバ開始領域より高くなるＤ１の領域に戻り、その後、一点鎖線βに示すように急に圏外に移動する場合がある。従来の無線通信端末では、Ｄ１の領域に戻ることでハンドオーバが停止されるため、再度ハンドオーバを行うには所定の時間を要し、通話の瞬断や途切れだけでなく通話が切断されるという問題がある。
【００７１】
しかし、本実施形態に係る無線通信端末１では、ハンドオーバ開始閾値よりも高く設定したハンドオーバ停止閾値をハンドオーバを停止する閾値としているため、図６に示すＣ−Ｄ１−Ｄ２−Ｄ３の領域のように、現状電圧レベルがハンドオーバ開始閾値付近を行き来する状況でも、ハンドオーバの中断、再開が頻繁に繰り返されないため、通話の瞬断や途切れ、更には通話の切断を低減することができる。
【００７２】
更に、現状電圧レベルがハンドオーバ開始閾値付近を行き来する状況でも、ハンドオーバが中断されることなく継続されるため、急に圏外に移動したとしても、ハンドオーバを行うための時間を十分に確保することができるため、ハンドオーバを短時間で適切に行うことができ、通話の瞬断や途切れ、更には通話の切断をも抑制することができる。
【００７３】
また、本実施形態によれば、ハンドオーバを開始したときにターゲットアクセスポイントが保持されていない場合は、スキャンを継続してターゲットアクセスポイントを保持してからハンドオーバを行うため、確実にハンドオーバを行うことができ、無用なハンドオーバを防止することができる。
【図面の簡単な説明】
【００７４】
【図１】本発明に係る無線通信端末の機能を示したブロック図である。
【図２】本発明に係る無線通信端末のハードウェア構成を示したブロック図である。
【図３】本発明に係るスキャン動作状態及びハンドオーバ動作状態を示した状態図である。
【図４】本発明のスキャン動作及びハンドオーバ動作を示したフローチャートである。
【図５】現状電力レベルがスキャン開始閾値付近を行き来したときの動作図である。
【図６】現状電力レベルがハンドオーバ開始閾値付近を行き来したときの動作図である。
【符号の説明】
【００７５】
１…無線通信端末、２…通信品質測定部、３…スキャン実行部、４…ハンドオーバ実行部、５…制御部、６…記憶部、７…ＣＰＵ、８…ＲＯＭ、９…ＲＡＭ、１０…操作部、１１…無線通信部、１２…ディスプレイ、２０ａ〜２０ｄ…アクセスポイント。
【図１】
2008131510.tif 000003
【図２】
2008131510.tif 000004
【図３】
2008131510.tif 000005
【図４】
2008131510.tif 000006
【図５】
2008131510.tif 000007
【図６】
2008131510.tif 000008